(57)【要約】【課題】簡便な機構により電子ズームの変倍に対応する視野を光学ファインダで確認できるデジタルカメラを提供する。【解決手段】対物レンズ１４と接眼レンズ２１との間に電子ズームの変倍に応じて光学ファインダ１２のファインダ視野の範囲を変化させるマスク装置２８を組み込む。マスク装置２８は、協働して矩形状の開口を形成するＬ字型をした２枚の可動羽根と、この可動羽根を変位させる移動装置とからなる。ズーム操作ボタンを操作すると、ＣＰＵ４０は、その操作量に基づいて電子ズーム倍率を求め、移動装置を駆動する。可動羽根が変位してマスク装置２８の開口の大きさが変化し、光学ファインダ１２の視野範囲が電子ズーム倍率に対応した範囲に変更される。このズーム操作を行っている間は、ＬＣＤ２２に画像を表示しないから、デジタルカメラの電源電池の消耗を小さく抑えることができる。【選択図】        図３
2007036694.tif 000002
【特許請求の範囲】
【請求項１】
被写体を撮像素子に結像する撮影レンズと、
前記撮像素子により電気信号に変換された画像を電子的に拡大する電子ズーム手段と、
被写体を光学的に視認する光学ファインダと、
前記電子ズーム手段の拡大率に応じて光学ファインダの視野範囲を変更するファインダ視野変更手段と
を設けたことを特徴とするデジタルカメラ。
【請求項２】
被写体を撮像素子に結像するとともに光学的に変倍を行うズーム撮影レンズと、
前記撮像素子により電気信号に変換された画像を電子的に拡大する電子ズーム手段と、
被写体を光学的に視認し、前記ズーム撮影レンズの変倍に連動して光学的に変倍を行うズーム光学ファインダと、
このズーム光学ファインダに組み込まれ、前記電子ズーム手段が動作する際に、前記電子ズーム手段の拡大率に応じてズーム光学ファインダの視野範囲を変更するファインダ視野変更手段と
を設けたことを特徴とするデジタルカメラ。
【請求項３】
前記ファインダ視野変更手段は、前記光学ファインダの光軸上に設けられ、協働して矩形状の開口を構成するＬ字型をした２枚の羽根と、この２枚の羽根の少なくとも一方を前記電子ズーム手段の拡大率に応じて移動させることにより、前記開口の大きさを変化させる羽根移動手段とからなることを特徴とする請求項１または２記載のデジタルカメラ。
【請求項４】
前記ファインダ視野変更手段は、前記光学ファインダの光軸上に設けられ、矩形状の開口を有するマスク枠と、このマスク枠を前記電子ズーム手段の拡大率に応じて光軸方向に進退させるマスク枠移動手段とからなることを特徴とする請求項１または２記載のデジタルカメラ。
【請求項５】
被写体を撮像素子に結像するとともに光学的に変倍を行うズーム撮影レンズと、
前記撮像素子により電気信号に変換された画像を電子的に拡大する電子ズーム手段と、
被写体を光学的に視認し、前記ズーム撮影レンズの変倍に連動して光学的に変倍を行うズーム光学ファインダと、
このズーム光学ファインダの光軸に対して挿脱自在に設けられるとともに、前記電子ズーム手段が動作する際に、前記ズーム光学ファインダの光軸に挿入され、前記電子ズーム手段の拡大率に応じてズーム光学ファインダによる光学像を拡大するエクステンションレンズと
を設けたことを特徴とするデジタルカメラ。
【発明の詳細な説明】
【技術分野】
【０００１】
本発明は、電子ズーム機能を備えたデジタルカメラに関し、更に詳しくは電子ズームの拡大率に応じた視野を提供する光学ファインダを備えたデジタルカメラに関するものである。
【背景技術】
【０００２】
ＣＣＤ等の固体撮像素子から出力される画像信号をデジタルデータに変換してメモリカードに記憶するデジタルカメラが周知である。このデジタルカメラでは、撮影レンズの光学ズームの拡大率を補完するためや、光学ズームの代わりとして、ＣＣＤで電気信号に変換された画像信号を電子的に拡大処理する電子ズーム機能を搭載しているものが多い。
【０００３】
撮影レンズに光学ズームを搭載する多くのデジタルカメラは、撮影レンズのズーミングに連動してファインダの光学像を変倍する光学ズームファインダを備えているが、電子ズームに切り換わった際には、光学ズームファインダで電子ズームの拡大率に対応した視野を提供することは困難であるため、液晶ディスプレイによる電子ビューファインダで提供している。
【０００４】
ところが、電子ビューファインダでは液晶ディスプレイのバックライトを点灯し続けるため、デジタルカメラの電源電池が非常に速く消耗するという問題がある。このため、電子ズームのズーム領域でも光学ズームファインダで視野を提供することが提案されている（例えば特許文献１）。この特許文献１記載の電子カメラ（デジタルカメラ）では、電子ズーム処理を行わない光学ズーム領域では、ズームモータの駆動力が撮影レンズのズーミングレンズと光学ズームファインダのズーミングレンズの両方に伝達され、電子ズーム処理を行う電子ズーム領域では、光学ズームファインダのズーミングレンズのみに伝達されるようにしている。
【特許文献１】特開平１１−２８４８８５号公報
【発明の開示】
【発明が解決しようとする課題】
【０００５】
上記特許文献１記載のデジタルカメラでは、光学ズームファインダが光学ズーム及び電子ズームの両方のズーム領域をカバーしなければならないため、例えば５倍以上の高倍率の光学ズームファインダを必要とする。ところが、５倍以上の高倍率の光学ズームファインダを手頃な価格で製作するのは、極めて困難である。
【０００６】
本発明は、簡便な機構により電子ズームの拡大率に対応する視野を光学ファインダで確認できるデジタルカメラを提供することを目的とする。
【課題を解決するための手段】
【０００７】
本発明のデジタルカメラは、被写体を撮像素子に結像する撮影レンズと、前記撮像素子により電気信号に変換された画像を電子的に拡大する電子ズーム手段と、被写体を光学的に視認する光学ファインダと、前記電子ズーム手段の拡大率に応じて光学ファインダの視野範囲を変更するファインダ視野変更手段とを設けたことを特徴とする。
【０００８】
また、被写体を撮像素子に結像するとともに光学的に変倍を行うズーム撮影レンズと、前記撮像素子により電気信号に変換された画像を電子的に拡大する電子ズーム手段と、被写体を光学的に視認し、前記ズーム撮影レンズの変倍に連動して光学的に変倍を行うズーム光学ファインダと、このズーム光学ファインダに組み込まれ、前記電子ズーム手段が動作する際に、前記電子ズーム手段の拡大率に応じてズーム光学ファインダの視野範囲を変更するファインダ視野変更手段とを設けたことを特徴とする。
【０００９】
また、前記ファインダ視野変更手段は、前記光学ファインダの光軸上に設けられ、協働して矩形状の開口を構成するＬ字型をした２枚の羽根と、この２枚の羽根の少なくとも一方を前記電子ズーム手段の拡大率に応じて移動させることにより、前記開口の大きさを変化させる羽根移動手段とからなることを特徴とする。
【００１０】
また、前記ファインダ視野変更手段は、前記光学ファインダの光軸上に設けられ、矩形状の開口を有するマスク枠と、このマスク枠を前記電子ズーム手段の拡大率に応じて光軸方向に進退させるマスク枠移動手段とからなることを特徴とする。
【００１１】
また、被写体を撮像素子に結像するとともに光学的に変倍を行うズーム撮影レンズと、前記撮像素子により電気信号に変換された画像を電子的に拡大する電子ズーム手段と、被写体を光学的に視認し、前記ズーム撮影レンズの変倍に連動して光学的に変倍を行うズーム光学ファインダと、このズーム光学ファインダの光軸に対して挿脱自在に設けられるとともに、前記電子ズーム手段が動作する際に、前記ズーム光学ファインダの光軸に挿入され、前記電子ズーム手段の拡大率に応じてズーム光学ファインダによる光学像を拡大するエクステンションレンズとを設けたことを特徴とする。
【発明の効果】
【００１２】
本発明のデジタルカメラによれば、電子ズーム手段の拡大率に応じてファインダ視野変更手段により光学ファインダの視野範囲を変更するので、簡便な機構により電子ズームの拡大率に対応する視野を光学ファインダで確認できる。
【００１３】
また、電子ズーム手段が動作する際に、電子ズーム手段の拡大率に応じてファインダ視野変更手段によりズーム光学ファインダの視野範囲を変更するので、簡便な機構により電子ズームの拡大率に対応する視野を光学ファインダで確認できる。
【００１４】
また、前記ファインダ視野変更手段は、矩形状の開口を構成するＬ字型をした２枚の羽根の少なくとも一方を電子ズーム手段の拡大率に応じて移動させるという簡便な機構である。また、前記ファインダ視野変更手段は、矩形状の開口を有するマスク枠を電子ズーム手段の拡大率に応じて光軸方向に進退させるという簡便な機構である。
【００１５】
また、電子ズーム手段が動作する際に、エクステンションレンズをズーム光学ファインダの光軸に挿入し、電子ズーム手段の拡大率に応じてズーム光学ファインダによる光学像を拡大するので、簡便な機構により電子ズームの拡大率に対応する視野を光学ファインダで確認できる。
【発明を実施するための最良の形態】
【００１６】
本発明の第１実施形態であるデジタルカメラを示す図１及び図２において、デジタルカメラ１０の正面には、矢印方向にスライド操作自在なレンズバリア１１と、光学ファインダ１２（図３参照）の対物レンズ１４とが設けられている。レンズバリア１１を図１に示す開放位置にスライドさせることにより、固定焦点の撮影レンズ１５、ストロボ発光部１６が露呈して電源がオンになり、撮影可能状態となる。
【００１７】
デジタルカメラ１０の上面には、シャッタボタン１８が設けられている。このシャッタボタン１８を押圧操作することにより、１画面分の撮像信号が画像データに変換され、メモリカード２０や図示しない内部メモリなどの記憶媒体に保存される。
【００１８】
デジタルカメラ１０の背面には、前記光学ファインダ１２の接眼レンズ２１と、液晶ディスプレイ（ＬＣＤ）２２とが設けられている。このＬＣＤパネル２２は、再生モードにおいては、撮影画像の再生表示に使用され、セットアップモードでは、各種設定を行うためのメニュー画面の表示に用いられる。
【００１９】
また、デジタルカメラ１０の背面には、接眼レンズ２１，ＬＣＤ２２の他に、ＣＣＤによって撮像された画像を電子的に拡大する電子ズームにおいてズーミング操作を行うズーム操作ボタン２４、各種モードを選択するモード切替えスイッチ２５、およびＬＣＤ１６に表示されるメニュー画面内でカーソルを移動させるカーソル操作板２６からなる操作部２７（１点鎖線で囲む部分）が設けられている。
【００２０】
デジタルカメラ１０の電気的構成を示す図３において、光学ファインダ１２の対物レンズ１４と接眼レンズ２１との間には、電子ズームの拡大率に応じて光学ファインダ１２のファインダ視野の範囲を変化させるマスク装置２８が組み込まれている。このマスク装置２８は、図４に示すように、Ｌ字型をした２枚の可動羽根２９，３０によって矩形状をした開口３１を構成するマスク枠３２と、前記可動羽根２９，３０を互いに反対方向に移動する移動装置３３，３４とからなる。
【００２１】
前記可動羽根２９，３０の各両端部には、開口３１の対角線Ｐ１と平行な長孔２９ａ，２９ｂ，３０ａ，３０ｂが形成され、長孔２９ａ，３０ａがピン３５に、また長孔２９ｂ，３０ｂがピン３６に、それぞれ係合している。なお、ピン３５，３６は、光学ファインダ１２内に固定されている。
【００２２】
また、可動羽根２９，３０の各中央の角部には、対角線Ｐ１方向の外側に、細長い突起２９ｃ，３０ｃが形成されており、各先端部には、ナット部２９ｄ，３０ｄが設けられている。前記移動装置３３は、前記ナット部２９ｄに螺合した細長い棒状のビス３７と、この端部に固定されたギア３８と、このギア３８に噛合されたピニオンギア３９と、このピニオンギア３９の中心軸孔に回転軸が嵌入され、ピニオンギア３９を回転駆動するモータ４０とからなる。
【００２３】
また、前記移動装置３４も移動装置３３と同様に、前記ナット部３０ｄに螺合した細長い棒状のビス４１と、この端部に固定されたギア４２と、このギア４２に噛合されたピニオンギア４３と、このピニオンギア４３の中心軸孔に回転軸が嵌入され、ピニオンギア４３を回転駆動するモータ４４とからなる。
【００２４】
モータ４０，４４は電子ズーム時に同時に駆動され、可動羽根２９，３０が対角線Ｐ１と平行にそれぞれ互いに反対方向に同量ずつ進退される。これにより、開口３１は、中心Ｑ１の位置が一定のまま、面積が拡大または縮小され、光学ファインダ１２の視野範囲が電子ズームの拡大率に応じて変化する。
【００２５】
ＣＰＵ４５は、操作部２７から入力される操作信号に応じてデジタルカメラ１０の本体各部を制御する。撮影レンズ１５には、フォーカスレンズ４６と絞り４７が組み込まれている。フォーカスレンズ４６は、モータを含むレンズ駆動機構４８によって駆動されて撮影レンズ１５のピント調節が行われる。絞り４７は、モータを含む絞り駆動機構４９によって駆動されて絞り径が切り換えられる。レンズ駆動機構４８及び絞り駆動機構４９は、ＣＰＵ４５に制御されるモータドライバ５０，５１によって駆動される。
【００２６】
撮影光学系の背後には、撮像素子としてＣＣＤ５２が配置されている。ＣＣＤ５２は、周知のように、多数の受光素子をマトリックス状に配列された光電面を備えており、撮影光学系を通過し、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００２７】
ＣＣＤ５２は、ＣＣＤドライバ５３から供給される垂直転送クロック及び水平転送クロックに同期して、画素毎に蓄積された電荷を１ラインずつシリアルな撮像信号として出力する。各画素の電荷蓄積時間（露出時間）は、ＣＣＤドライバ５３から与えられる電子シャッタ駆動信号によって決められる。また、ＣＣＤドライバ５３には、タイミングジェネレータ５４からのタイミング信号が供給される。
【００２８】
ＣＣＤ５２から取り込まれたアナログの撮像信号は、アナログ信号処理回路５５に入力される。アナログ信号処理回路５５は、相関２重サンプリング回路（ＣＤＳ）と、オートゲインコントローラ（ＡＧＣ）と、ＡＤコンバータ（ＡＤＣ）とからなる。ＣＤＳは、アナログ信号のノイズを除去し、ＡＧＣはアナログ信号のゲインを自動調節する。ＡＤＣは、アナログ信号をデジタル変換して画像データを生成する。この画像データは、各画素毎にＲ，Ｇ，Ｂの濃度値を持つＣＣＤ−ＲＡＷデータであり、このＣＣＤ−ＲＡＷデータがＤＳＰ（Digital Signal Processor)５６へ入力される。アナログ信号処理回路５５にも、タイミングジェネレータ５４からのタイミング信号が供給され、ＣＣＤ５２から電荷が取り込みまれるタイミングと同期が取られている。
【００２９】
フレームメモリ５８は、ＤＳＰ５６が画像データに対して各種信号処理を施す際に使用する作業用メモリである。フレームメモリ５８は、データバス５９を介して、ＣＰＵ４５とＤＳＰ５６の各部と接続されている。フレームメモリ５８としては、例えば、一定周期のバスクロック信号に同期してデータ転送を行うＳＤＲＡＭ（Synchronous Dynamic Random Access Memory）が使用される。フレームメモリ５８に書き込まれた画像は、ＤＳＰ５６によって各種の画像処理が施される。
【００３０】
ＤＳＰ５６は、ＡＦ回路６０，ＡＥ／ＡＷＢ回路６２，画像入力コントローラ６４，電子ズーム処理回路６６，画像処理回路６８，圧縮処理回路６９，メディアコントローラ７０，ビデオエンコーダ５２からなるＩＣチップであり、アナログ信号処理回路５５から入力された画像データに対して、各種の信号処理を施すとともに、メモリカード２０へアクセスして画像ファイルの読み書き等を行う。
【００３１】
画像入力コントローラ６４は、アナログ信号処理回路５５から前記ＣＣＤ−ＲＡＷデータを取り込んで、これをフレームメモリ５８に書き込む。ＡＦ回路６０は、ＣＣＤ５２が撮像した画像に基づいて、焦点位置を検出し、フォーカシングを行う。ＡＥ回路は、被写体輝度を測定し、絞り値やシャッタ速度等を決定する。ＡＷＢ回路は、オートホワイトバランス回路であり、撮影時のホワイトバランスを自動調整する。
【００３２】
圧縮処理回路６９は、画像処理回路６８によって各種の画像処理が施された本画像のデータに対して、圧縮処理を施して、画像ファイルを生成する。メディアコントローラ７０は、メモリカード２０へアクセスして画像ファイルの書き込みと読み込みとを行う。再生モードにおいては、メモリカード２０から圧縮された画像データが読み出されて、圧縮処理回路６９によって伸張処理が施された後、ＬＣＤ２２に出力される。
【００３３】
画像処理回路６８は、画像データに対して、ガンマ補正，シャープネス補正，コントラスト補正などの画質補正処理、ＣＣＤ−ＲＡＷデータを輝度信号であるＹデータと、青色色差信号であるＣｂデータ及び赤色色差信号であるＣｒデータとからなるＹＣデータに変換するＹＣ処理を施す。
【００３４】
ＣＰＵ４５は、ズーム操作ボタン２４が操作されると、その操作量に応じて電子ズーム倍率を決定し、移動装置３２のモータ３９を駆動して開口３１の面積を変化させる。また、ＣＰＵ４５は、シャッタボタン１８が全押しされた際に、電子ズーム処理回路６６に対して電子ズーム処理の実行を指示する。全押しによって撮影された画像データは、一旦フレームメモリ５８に書き込まれた後、電子ズーム処理回路６６によって読み出され、前記電子ズーム倍率に基づいて電子ズーム処理が施される。
【００３５】
ビデオエンコーダ７２は、再生モード等において、デジタルデータをアナログのコンポジット信号に変換してＬＣＤ２２に出力する。
【００３６】
このように構成されたデジタルカメラ１０の作用について、図５に示すフローチャートを参照しながら説明する。電源を投入して撮影モードを選択し（ｓｔ１）、ズーム操作ボタン２４が操作されると（ｓｔ２）、ＣＰＵ４５は、その操作量に基づいて電子ズーム倍率を求め、移動装置３２のモータ３９を駆動する。これにより、可動羽根３０が進退して開口３１の大きさが変化し、光学ファインダ１２の視野範囲が電子ズーム倍率に対応した範囲に変更される（ｓｔ３）。このズーム操作を行っている間は、ＬＣＤ２２のバックライトは点灯されず、ＬＣＤ２２に画像が表示されないから、デジタルカメラ１０の電源電池の消耗を小さく抑えることができる。
【００３７】
ユーザは光学ファインダ１２を覗いて、その視野範囲等を確認してからシャッタボタンを半押しする（ｓｔ４）。これにより、ＡＦ回路６０の出力に基づいてレンズ駆動機構４８がフォーカスレンズ４６を移動して撮影レンズ１５のピント調節を行うとともに、ＡＥ回路の出力に基づいて絞り駆動機構４９が絞り４７の径を変更する（ｓｔ５）。
【００３８】
シャッタボタン１８が全押しされると（ｓｔ６）、ＣＣＤ５２から出力された画像信号に対して各種の画像処理が施され、デジタルの画像データに変換された後、一旦フレームメモリ５８に記憶される。電子ズーム処理回路６６は、フレームメモリ５８に記憶された画像データを読み出して、シャッタボタン１８が全押しされた時の電子ズーム倍率の倍率に基づいて、電子ズーム処理を施す（ｓｔ７）。この後、電子ズーム処理が施された画像データはメモリカード２０に記録される（ｓｔ８）。
【００３９】
撮影を続行したい場合には、上述したと同様に、ズーム操作ボタン２４を操作したり、シャッタボタン１８の押下操作を行う（ｓｔ９）。また、撮影された画像を確認したい場合には、モード切替えスイッチ２５、およびカーソル操作板２６を操作して、再生モードにセットすると、ＬＣＤ２２のバックライトが点灯して、撮影された画像が表示される。また、撮影を止める場合には、レンズバリア１１を閉じると、これに連動してデジタルカメラ１０の電源がオフになる（ｓｔ１０）。
【００４０】
次に、本発明の第２実施形態について説明する。本実施形態は、第１実施形態のマスク装置２８の代わりに、図６に示すマスク装置８０を用いたものである。このマスク装置８０は、中央部に開口８１ａを形成したマスク枠８１と、これを光軸方向に進退する移動装置８２とからなる。この移動装置８２は、マスク枠８１を支持する棒状の支持部８４の端部に形成されたナット部８４ａと、これに螺合した細長い棒状のビス８６と、この端部に固定されたギア８７と、このギア８７に噛合されたピニオンギア８８と、このピニオンギア８８を回転駆動するモータ８９とからなる。
【００４１】
図７に示すように、光学ファインダ９０の対物レンズ１４と接眼レンズ２１との間に、マスク枠８１が配置され、ズーム操作に伴って、広角側では接眼レンズ２１寄りに、望遠側では対物レンズ１４寄りに、移動される。これにより、接眼レンズ２１側から観察される光学ファインダ９０の視野範囲が電子ズーム倍率に対応した範囲に変更される。
【００４２】
次に、本発明の第３実施形態について説明する。本実施形態は、光学ズームと電子ズームの両方を備えたデジタルカメラである。図８に示すように、光学式のズームレンズである撮影レンズ９１のズームカムリング９２は、デジタルカメラのズーム操作に伴って、光学ズームの回転領域（光学ズーム域）ｓｐ１から電子ズームの回転領域（電子ズーム域）ｓｐ２にわたって回転する。
【００４３】
前記ズームカムリング９２の外周面には、突条をしたカム板９３と、２本のカム溝９４，９５とが形成されている。カム板９３は、光学ズーム域ｓｐ１では、最も高いが、その高さが全体に同じであり、電子ズーム域ｓｐ２になると、光学ズーム域ｓｐ１との境界部から徐々に高さが低くなり、端部で最も低くなる。
【００４４】
前記カム溝９４，９５には、ズームファインダ９６の対物レンズ９７，接眼レンズ９８がそれぞれ係合している。カム溝９４は、光学ズーム域ｓｐ１及び電子ズーム域ｓｐ２にわたって、ズームカムリング９２の回転方向に沿って直線状に形成されている。このため、対物レンズ９７は、ズームカムリング９２が回転しても光軸方向に移動されない。
【００４５】
また、カム溝９５は、光学ズーム域ｓｐ１では、ズームカムリング９２の回転方向に対して傾斜した形状に形成され、電子ズーム域ｓｐ２では、ズームカムリング９２の回転方向に沿って直線状に形成されている。このため、接眼レンズ９８は、光学ズーム域ｓｐ１では、ズームカムリング９２の回転に伴って光軸方向に移動され、電子ズーム域ｓｐ２では、ズームカムリング９２が回転しても光軸方向に移動されない。
【００４６】
前記対物レンズ９７の前方には、前記カム板９３により開口９９の大きさを変更するＬ字型をした可動羽根１００，１０１からなるマスク枠１０２が設けられている。図９に示すように、前記可動羽根１００，１０１の各両端部には、開口９９の対角線Ｐ２と平行な長孔１００ａ，１００ｂ，１０１ａ，１０１ｂが形成され、長孔１００ａ，１０１ａがピン１０２に、また長孔１００ｂ，１０１ｂがピン１０３に、それぞれ係合している。なお、ピン１０２，１０３は、ズームファインダ９６内に固定されている。
【００４７】
可動羽根１００，１０１の各側方には、コの字型をした羽根駆動レバー１０４，１０５が固定軸１０６，１０７を中心に回動自在に設けられている。前記羽根駆動レバー１０４の一端部１０４ａに植設されたピン１０８は、可動羽根１００に形成された長孔１００ｃに係合し、他端部１０４ｂに形成された長孔１０４ｃには、前記カム板９３のカム面に当接して上下動する棒状レバー１１０のピン１１１が係合している。また同様に、羽根駆動レバー１０５の一端部１０５ａに植設されたピン１１２は、可動羽根１０１に形成された長孔１０１ｃに係合し、他端部１０５ｂに形成された長孔１０５ｃには、前記ピン１１１が係合している。
【００４８】
光学ズーム域ｓｐ１では、カム板９３の高さが一定であるから、（Ａ）に示すように、開口９９は大きいままで変わらず、撮影レンズの変倍動作に対応して移動される接眼レンズ９８の位置によってズームファインダ９６のファインダ視野が決定される。また、電子ズーム域ｓｐ２では、接眼レンズ９８の位置は不変となる一方、電子ズームの拡大率が高くなる程、カム板９３の高さが光学ズーム域ｓｐ１よりも低くなる。
【００４９】
電子ズームの倍率を高くしていくと、棒状レバー１１０が降下し、羽根駆動レバー１０４，１０５が固定軸１０６，１０７を中心にそれぞれ内側に回動して、可動羽根１００，１０１が両側から内側に向かって押され、（Ｂ）に示すように、対角線Ｐ１と平行にそれぞれ互いに近づくように同量ずつ移動する。また、電子ズームの倍率を低くしてゆくと、可動羽根１００，１０１が離れる方向に移動する。これにより、開口９９は、中心Ｑ２の位置は一定のまま、面積が縮小または拡大され、ズームファインダ９６の視野範囲が電子ズームの倍率に応じて変化する。
【００５０】
このように構成されたデジタルカメラで変倍操作を行うと、光学ズーム域ｓｐ１では、接眼レンズ９８が光軸方向に進退され、撮影レンズ９１の変倍に対応して、ズームファインダ９６が変倍される。この光学ズーム域ｓｐ１では、棒状レバー１１０が最も上昇した位置にあって、マスク枠１０２の開口９９の面積は常に最も大きい状態にあり、ズームファインダ９６の視野範囲を規制していない。
【００５１】
光学ズーム域ｓｐ１を超えて更に望遠側に変倍操作を継続すると、ズームカムリング９２は電子ズーム域ｓｐ２に入る。この電子ズーム域ｓｐ２では、接眼レンズ９８の移動は行われず、棒状レバー１１０が最も上昇した位置から電子ズーム倍率が高くなるにつれて降下してゆく。すなわち、電子ズーム倍率に応じて、羽根駆動レバー１０４，１０５が固定軸１０６，１０７を中心にそれぞれ内側又は外側へ回動し、可動羽根１００，１０１が対角線Ｐ２方向に互いに間隔が狭まるように又は広がるように移動する。これにより、開口９９の面積が縮小または拡大され、ズームファインダ９６の視野範囲が電子ズームの倍率に応じて変化する。
【００５２】
本実施形態では、光学ズーム及び電子ズームの両方において、ズーミング中でのＬＣＤ表示は行わず、光学ズームはもちろん、電子ズームでもズームファインダ９６で対応した視野を提供できるから、電源電池の消耗を小さく抑えることができ、長時間の撮影が可能となる。
【００５３】
次に、本発明の第４実施形態を図１０を参照して説明する。本実施形態は、第３実施形態のマスク枠１０２の代わりに、第２実施形態のマスク枠８１と同様のマスク枠１２０を用いたものである。なお、第３実施形態と同じ部材には、同じ符号を付して説明を省略する。
【００５４】
前記マスク枠１２０は、撮影レンズ１２１のズームカムリング１２２に形成されたカム溝１２４に棒状レバー１２５を介して係合しており、光学ズーム域ｓｐ１では、光軸方向に移動しないが、電子ズーム域ｓｐ２では、電子ズームが高倍率になるにつれて対物レンズ９７から遠ざかる方向に移動される。ズーム操作に伴って、マスク枠１２０は、広角側では対物レンズ９７寄りに、望遠側では対物レンズ９７寄りに、移動される。これにより、接眼レンズ９８側から観察されるズームファインダの視野範囲が電子ズーム倍率に対応した範囲に変更される。
【００５５】
次に、本発明の第５実施形態を図１１及び図１２を参照して説明する。本実施形態は、ズームファインダ１３０の光軸上に、電子ズーム域ｓｐ２において、エクステンションレンズ１３１を挿入し、ズームファインダ１３０の焦点距離を、例えば２倍にするようにしたものである。
【００５６】
エクステンションレンズ１３１は、これを支持する支持棒１３２が軸１３３を中心に回動自在に設けられ、バネ１３４によりズームファインダ１３０の光軸上から退避される方向に付勢されている。また、支持棒１３２の両側方には、支持棒１３２の回動範囲を規制するストッパ１３５，１３６が設けられている。
【００５７】
ズームレンズである撮影レンズ１４０のズームカムリング１４２の外周面には、電子ズーム域ｓｐ２に対応する領域に、蹴飛ばしリブ１４４が設けられている。この蹴飛ばしリブ１４４は、ズームカムリング１４２が光学ズーム域ｓｐ１から電子ズーム域ｓｐ２に回転すると、バネ１３４の付勢に抗して支持棒１３２の端部１３２ａを蹴飛ばして、エクステンションレンズ１３１をズームファインダ１３０の光軸上に挿入する。
【００５８】
また、接眼レンズ９８が係合される変倍用のカム溝１４６は、光学ズーム域ｓｐ１と電子ズーム域ｓｐ２とで同じライン形状になるように、ズームカムリング１４２の外周面に形成されている。すなわち、ズームファインダ１３０の変倍動作は、光学ズーム域ｓｐ１と電子ズーム域ｓｐ２の両方で同じである。
【００５９】
本実施形態でズーミングを行うと、光学ズーム域ｓｐ１では、エクステンションレンズ１３１がズームファインダ１３０の光軸上から退避しており、一般的なズームファインダと全く同様に、ズーミング操作に連動して接眼レンズ９８がカム溝１４６のラインに沿って光軸方向に移動され、撮影レンズ１４０の焦点距離に対応する視野が提供される。
【００６０】
光学ズーム域ｓｐ１から電子ズーム域ｓｐ２に移行する過程では、エクステンションレンズ１３１がズームファインダ１３０の光軸上に挿入される間に、接眼レンズ９８の位置が広角端に戻される。このため、光学ズーム域ｓｐ１の最望遠と電子ズーム域ｓｐ２の最広角とに対応するファインダ視野が同じになり、違和感がない。
【００６１】
電子ズーム域ｓｐ２では、エクステンションレンズ１３１がズームファインダ１３０の光軸上に挿入された状態で、ズーミング操作に連動して接眼レンズ９８が光軸方向に進退される。これにより、撮影画像を２倍に拡大する電子ズーム処理が実施されると同時に、撮影レンズ１４０の２倍の焦点距離に対応する視野が提供される。
【００６２】
以上説明した第１，２実施形態では、マスク枠を対物レンズと接眼レンズとの間に配置したが、本発明はこれに限定されることなく、例えば対物レンズの前に配置してもよい。また、第１実施形態では、２個のモータを設けて、２枚の可動羽根をそれぞれ移動させるようにしたが、例えば第３実施形態と同様に、２枚の可動羽根の間に連動機構を設け、一方の可動羽根を移動させることにより他方も連動して移動するようにしてもよい。また、上記第５実施形態では、エクステンションレンズの倍率を２倍としたが、本発明はこれに限定されることなく、例えば、１．５倍や３倍としてもよい。
【図面の簡単な説明】
【００６３】
【図１】本発明の第１実施形態のデジタルカメラを正面側から示す外観斜視図である。
【図２】デジタルカメラを背面側から示す外観斜視図である。
【図３】デジタルカメラの電気的構成を示すブロック図である。
【図４】マスク装置を示す説明図である。
【図５】デジタルカメラの主なシーケンスを示すフローチャートである。
【図６】本発明の第２実施形態に係るマスク装置を示す説明図である。
【図７】第２実施形態に係る光学ファインダを示す説明図である。
【図８】本発明の第３実施形態に係るズームファインダを示す説明図である。
【図９】第３実施形態に係るマスク枠とこれを駆動する構成を示す説明図である。
【図１０】本発明の第４実施形態に係るズームファインダを示す説明図である。
【図１１】本発明の第５実施形態に係るズームファインダを示す説明図である。
【図１２】第５実施形態に係るエクステンションレンズと蹴飛ばしリブとの関係を示す説明図である。
【符号の説明】
【００６４】
１０  デジタルカメラ
１２，９０  光学ファインダ
１４，９７  対物レンズ
１５，９１，１２１，１４０  撮影レンズ
２１，９８  接眼レンズ
２８，８０  マスク装置
２９，３０，１００，１０１  可動羽根
３１，８１ａ，９９  開口
３２，８１，１０２，１２０  マスク枠
３３，３４，８２  移動装置
４５  ＣＰＵ
６６  電子ズーム処理回路
９２，１２２，１４２  ズームカムリング
９３  カム板
９４，９５，１２４，１４６  カム溝
９６，１３０  ズームファインダ
１３１  エクステンションレンズ
１４４  蹴飛ばしリブ
【図１】
2007036694.tif 000003
【図２】
2007036694.tif 000004
【図３】
2007036694.tif 000005
【図４】
2007036694.tif 000006
【図５】
2007036694.tif 000007
【図６】
2007036694.tif 000008
【図７】
2007036694.tif 000009
【図８】
2007036694.tif 000010
【図９】
2007036694.tif 000011
【図１０】
2007036694.tif 000012
【図１１】
2007036694.tif 000013
【図１２】
2007036694.tif 000014